(57)【要約】【課題】転写紙のジャムがきわめて少なく、高速コピが可能であり、使いかってが良い画像形成装置を提供することを課題とする。【解決手段】転写紙の入口から出口まで略水平方向に転写紙の搬送路を設け、出口側のカバーを開く事により転写紙の搬送路が開く画像形成装置に関する。【選択図】図２
2009157331.tif 000002
【特許請求の範囲】
【請求項１】
単体感光ドラム上に、光導電層を特定極性に均一に帯電するために帯電ローラ〈コロナ帯電器でも良い〉、帯電された光導電性層にデジタル露光を行いデジタル情報に従った静電像を形成するためのＬＥＤ露光装置〈レーザーＲＯＳでも良い〉取り付け部及び静電層に熱溶融性の色トナー粉末を付着させて単色画像を形成するための現像装置と転写紙又はドラム上の中間転写体に色画像を転写した後次のトナー像形成のために光導電性層上に残留するトナー像を除去するためのクリーニング装置を配置した単色トナー像形成ユニットを複数固配置し〈フルカラーの場合４固以上〉、転写紙に色画像を転写した後定着装置により定着され出口より排出される画像形成装置に於いて、シート材の入口から出口まで略水平方向に転写紙の搬送路を設け、この転写紙の入口から出口までの搬送路に於いて、定着装置を除く搬送路の下部を一体構造にしたことを特徴とする画像形成装置。
【請求項２】
前記画像形成装置に於いて、定着側のカバーを開く事により、転写紙搬送部の下部が開くようにしたことを特徴とする画像形成装置。
【発明の詳細な説明】
【技術の分野】
【０００１】  本発明は電子写真方式に適用した複写機、プリンター、ファクシミリ等の画像形成装置に関する。
【背景技術】
【０００２】  従来、電子写真方式に適用した、特に小型複写機、プリンター、ファクシミリ等に使用された画像形成装置は、感光ドラムを中心に機能上、転写部材が接する部分以外旗遺伝ローラ〈又はコロナ帯電器〉、ＬＥＤ露光装置〈又はレーザーＲＯＳ〉取り付け部及びクリーニング装置から成り極めた小型化されている。【０００３】  市場に於いては、停電及びジャムが生じた場合これを簡単に、早く取り除く必要がある。【０００４】  以下、図１により従来の画像形成装置について説明する。
転写紙１１は転写紙送りローラＡ１２、及び転写紙送りローラＢ１３により内部搬送部Ｃに送られ画像形成装置Ａ、画像形成装置Ｂにより転写され定着ローラ２２と加圧ローラ２３により定着され、排紙ローラ２４，２５により排出される。停電及びジャムが生じた場合、上部カバーＥを開き転写紙の上部の各画像形成装置等を取り出す必要がある。【０００５】
【特許文献１】特開平７−７２７７７号公報
【特許文献２】特開平９−４３９１２号公報
【特許文献３】特開平１１−１７４７４４号公報
【特許文献４】特開平１１−１７４８７９号公報
【特許文献５】特開平１１−３２７２１８号公報
【特許文献６】特開平１１−３２７２１９号公報
【特許文献７】特開平１１−３２７２２０号公報
【特許文献８】特願２００４−３０３５４９号公報
【特許文献９】特願２００５−２６９０８５号公報
【特許文献１０】特願２００７−２４８１５号公報
【発明の開示】
【発明が解決しようとする課題】
【０００６】  以上述べた従来の画像形成装置には、それぞれ以下の問題点がある。【０００７】  ジャム処理を完全にしないと多くの時間と費用が掛かり販売に影響を与え結果として得策ではない。【０００８】  本発明はこの様な従来の構成が有した問題点を解決しようとするものであり、画像形成装置からジャム処理を極めて瞬間に行うことを目的とするものである。
【課題を解決するための手段】
【０００９】  そして、本発明は上記目的を達成するために転写紙の入口から出口まで略水平方向に転写紙の搬送路を設け、この転写紙の入口から出口までの搬送路に於いて、定着装置を除く転写紙の搬送路の下部を一体構造にし、定着側のカバーを開く事により、転写紙搬送部の下部が開き瞬時にしてジャム処理を可能にした。
【発明の効果】
【００１０】  上述したように本発明の画像形成装置は単色機からフルカラー機まで、又小型機から大判機まで幅広く可能であり、機械部品、及びメンテナンス費用も安価である。
【発明を実施するための最良の形態】
【００１１】  以下、本発明の実施の形態を図１〜図３に基づいて説明する。【００１２】  図１により従来の画像形成装置について説明する。転写紙１１は転写紙送りローラＡ１２より送られた転写紙送りローラ１３，１４により送られ内部搬送部Ｃに送られる。内部搬送部Ｃの主要部品は搬送ベルトＤを搬送ベルトローラＡ、搬送ベルトローラＢ１７、圧力ローラ１８より構成され、送り込まれた転写紙は転写紙押さえローラ１５により画像形成装置Ａ〈赤色〉、画像形成装置Ｂ〈黒色〉に送られ、圧力ローラ１８がベルト裏面より画像形成装置内の感光ドラムに加圧し転写紙に転写し定着ローラ２２と加圧ローラ２３により定着され排紙ローラ２４，２５により排出される。停電及びジャムが発生した場合、上部カバーＥを開く、ＬＥＤ露光装置６，画像形成装置Ａ，Ｂを外に出し転写紙を取り除く必要がある。定着部で転写紙が出ている場合サイドカバー３３を開くことにより加圧ローラ２３が開き〈不図〉転写紙を引き出せるが、転写紙の端部が未だ感光ドラムに接している場合感光ドラムのライフを縮める事になる。【００１３】  図２は転写紙１１の搬送は図１に示す通りであるが、停電及びジャムが生じた場合を想定し、転写紙の入口から出口までの搬送路に於いて、定着を除く搬送路の下部を一体構造にした。内部搬送部Ｃは転写紙入口側から転写紙送りローラＢ１３と搬送ベルトローラＡ１６、搬送ベルトローラＢ１７間に搬送ベルトＤを掛け、搬送ベルトＤ内に圧力ローラ１８及びこの圧力ローラ１８の加圧する為にスプリング２０から成る。
一体構造と成った内部搬送部Ｃはベルト駆動用の目的である搬送ベルトローラＢを支点軸とし転写紙送りローラＣ１４側を受け部Ｈで支えている。【００１４】  受け部Ｈはアームａ４８、アームｂ４９、上部軸３４、センター軸３５，下部軸３６、支えバネ３７で構成からなる。【００１５】  定着部の主要部は定着ローラ２２と加圧部２３ａから構成されている。加圧部２３ａは内部に加圧ローラＡ４０，加圧ローラｂ４１を備えている。片側を固定支点３８で支え他の側を圧力バネ掛け３９で定着ローラ２２へ加圧用スプリング４２を加圧調整ネジ４３で調整する。【００１６】  サイドカバー３３は支点４４で支え、その上部に中間軸４５を設けステー４６で圧力バネ掛け３９と連結する。此のステ４６は圧力バネ掛け３９又は中間軸４５より容易に着脱出来る構造とする。其の目的は定着部をユニットにした場合本体から容易に取り外しが出来る。【００１７】  アームステー４７はセンター軸３５と中間軸４５と連結する。此によりサイドカバー３３を開く事により加圧部２３ａ及び内部搬送部Ｃが開き瞬時にしてジャム処理を可能にした。【００１８】  図３はサイドカバー３３を開きステー４６、アームステー４７の作動により加圧部２３ａ，内部搬送部Ｃが開いた状態を示す。
【産業上の利用可能性】
【００１９】  上述したように本発明の画像形成装置は画像形成装置の基本であるジャム処理を極めて簡素化されている為、フルカラー等のプリンターにも利用され、又本発明は小型機から大判機まで、単色機からフルカラー機まで幅広く利用出来る。
【図面の簡単な説明】
【００２０】
【図１】  図１は従来の画像形成装置を示す。
【図２】  本発明の実施形態を示す画像形成装置其の１
【図３】  同画像形成装置其の２
【符号の説明】
【００２１】１          ドラム軸                １９        固定金具
２          感光ドラム              ２０        スプリング
３          支点軸                  ２１        駆動モータ
４          側板Ａ                  ２２        定着ローラ
５          側板Ｂ                  ２３        加圧ローラ
６          ＬＥＤ露光装置          ２４        排紙ローラＡ
７          現像装置                ２５        排紙ローラＢ
７−１      現像ローラ              ３０        マグネット
７−２      現像ローラブレード      ３１        固定ストッパー
７−３      トナー供給ローラ        ３２        鉄片
７−５      トナーカートリッチ      ２３ａ      加圧部
８          帯電ローラ              Ｈ          受け部
９          クリーニング装置        ３４        上部軸
９−１      クリーナーブレード      ３５        センター軸
９−２      ウエストトナー送り軸    ３６        下部軸
９−３      トナー防止ブレード      ３７        支えバネ
１０        イレーサーランプ        ３８        固定軸
Ａ          画像形成装置〈赤色〉    ３９        圧力バネ
Ｂ          画像形成装置〈黒色〉    ４０        加圧ローラＡ
Ｃ          内部搬送部              ４１        加圧ローラｂ
Ｄ          搬送ベルト              ４２        加圧用スプリング
Ｅ          上部カバー              ４３        加圧調整ネジ
Ｆ          Ｕ溝                    ４４        支点
Ｇ          Ｕ溝                    ４５        中間軸
１１        転写紙                  ４６        ステー
１２        転写紙送りローラＡ      ４７        アームステー
１３        転写紙送りローラＢ      ４８        アームａ
１４        転写紙送りローラＣ      ４９        アームｂ
１５        転写紙押さえローラ
１６        搬送ベルトローラＡ
１７        搬送ベルトローラＢ
１８        圧力ローラ
【図１】
2009157331.tif 000003
【図２】
2009157331.tif 000004
【図３】
2009157331.tif 000005